(57)【要約】      （修正有）【課題】タンク内で晶析反応等を行う際の反応生成物を含んだ液体を、あらかじめ定められた量以上、意図した場所で高精度に採取するサンプリング装置を提供する。【解決手段】サンプリング装置１０は、タンク内の液体を採取するための吸引口１２を有する吸引システム１１と、吸引口１２を覆うフィルタ部２０と、フィルタ部２０を保持している支持体２６と、が備えられている。フィルタ部２０は２以上設けられている。この構成によりサンプリング装置１０の使用者が意図した場所で、ろ過された液体を取得できる。また、フィルタ部２０が支持体２６に保持されているので、タンク内での液体の取得する位置が精度よく特定できる。さらに、フィルタ部２０が２以上設けられていることにより、サンプリング量を全体として多くでき、一度のサンプリングで必要とされる量を確保することができる。【選択図】図１
2019174370.tif 000002
【特許請求の範囲】
【請求項１】
タンク内の液体を採取するための吸引口を有する吸引システムと、
前記吸引口を覆うフィルタ部と、
該フィルタ部を保持している支持体と、が備えられ、
前記フィルタ部が２以上設けられている、
ことを特徴とするサンプリング装置。
【請求項２】
前記支持体には、前記フィルタ部を保持しているフィルタユニットが含まれており、
前記フィルタユニットの一部または全部は多角柱形状部であり、
前記フィルタ部の一部が、前記多角柱形状部の第１側面に設けられているとともに、
前記フィルタ部の他の一部が、前記第１側面と異なる第２側面に設けられている、
ことを特徴とする請求項１に記載のサンプリング装置。
【請求項３】
前記フィルタユニットは四角柱形状であり、
該フィルタユニットの前記第１側面には２つのフィルタ部が設けられ、
前記第１側面と軸心を挟んで反対側にある前記第２側面には２つのフィルタ部が設けられている、
ことを特徴とする請求項２に記載のサンプリング装置。
【請求項４】
前記多角柱形状部の第３側面には、前記液体を採取するための導入口が１つ設けられており、
前記導入口から採取された液体が、前記第１側面および前記第２側面に設けられているフィルタ部の全てに供給されている、
ことを特徴とする請求項２または請求項３に記載のサンプリング装置。
【発明の詳細な説明】
【技術分野】
【０００１】
本発明は、サンプリング装置に関する。さらに詳しくは、タンク内の液体を、意図した場所で高精度に採取するサンプリング装置に関する。
【背景技術】
【０００２】
種々の固体粒子を工業的に製造する方法として反応晶析法が広く用いられている。反応晶析法とは、反応生成物を反応液中に析出させて得る方法である。出発原料を反応溶媒に添加して、反応生成物が反応溶媒の飽和溶解度以上の濃度になると、反応生成物が反応液中に固体粒子として析出してくる。したがって、析出してきた反応生成物をろ別することで反応生成物を反応液と分離することができる。一般的に、炭酸カルシウムまたは水酸化ニッケルなどの、化学変化を伴う晶析を行う場合、晶析を適切に行わせて固体粒子を生成する必要がある。ここで「晶析を適切に行わせる」とは、晶析により得られる固体粒子の大きさなどの性状を制御して、所定の性状とするように晶析を行わせることを言う。
【０００３】
所定の性状の固体粒子を得るためには、反応液中に対する出発原料の濃度分布を制御することが重要である。そのため反応液体中に固体粒子が拡散しているスラリーをサンプリングする方法が種々提案されている。
【０００４】
特許文献１には、液体中に、固体粒子が拡散しているスラリーの性状を知るために行うサンプリング方法が開示されている。本文献では、このサンプリング方法で、高濃度石灰水スラリーを長期静置貯蔵した場合に、吊索に複数の採取器を縦方向に設けて、これらを引き揚げることでサンプリングを行う旨が開示されている。
【先行技術文献】
【特許文献】
【０００５】
【特許文献１】特開昭６２−２８３９３号公報
【発明の概要】
【発明が解決しようとする課題】
【０００６】
しかるに、一般的な晶析においては、反応生成物の濃度が反応液中で過飽和状態である場合には時間の経過とともに固体粒子が析出してくる。特許文献１に記載された従来のサンプリング方法では、すでに析出した固体粒子を含んでサンプリングを行い、さらに採取したスラリーサンプルから時間の経過と共に固体粒子が析出してしまうため、すでに析出していた固体粒子とサンプリング後に析出した固体粒子が混ざってしまい、採取した時間での液体の性状が確認できないという問題があった。
【０００７】
本発明は上記事情に鑑み、タンク内で晶析反応等を行う際の反応生成物を含んだ液体を、あらかじめ定められた量以上、意図した場所で高精度に採取するサンプリング装置を提供することを目的とする。
【課題を解決するための手段】
【０００８】
第１発明のサンプリング装置は、タンク内の液体を採取するための吸引口を有する吸引システムと、前記吸引口を覆うフィルタ部と、該フィルタ部を保持している支持体と、が備えられ、前記フィルタ部が２以上設けられていることを特徴とする。
第２発明のサンプリング装置は、第１発明において、前記支持体には、前記フィルタ部を保持しているフィルタユニットが含まれており、前記フィルタユニットの一部または全部は多角柱形状部であり、前記フィルタ部の一部が、前記多角柱形状部の第１側面に設けられているとともに、前記フィルタ部の他の一部が、前記第１側面と異なる第２側面に設けられていることを特徴とする。
第３発明のサンプリング装置は、第２発明において、前記フィルタユニットは四角柱形状であり、該フィルタユニットの前記第１側面には２つのフィルタ部が設けられ、前記第１側面と軸心を挟んで反対側にある前記第２側面には２つのフィルタ部が設けられていることを特徴とする。
第４発明のサンプリング装置は、第２発明または第３発明において、前記多角柱形状部の第３側面には、前記液体を採取するための導入口が１つ設けられており、前記導入口から採取された液体が、前記第１側面および前記第２側面に設けられているフィルタ部の全てに供給されていることを特徴とする。
【発明の効果】
【０００９】
第１発明によれば、吸引口を覆うフィルタ部があることにより、サンプリング装置の使用者が意図した場所で、ろ過された液体を取得できる。また、フィルタ部が支持体に保持されているので、支持体がない場合と比較して、タンク内での液体の取得する位置が精度よく特定できる。これにより、例えば液体が、晶析工程での液体である場合、液体取得後一定の時間が経過した後、採取した液体中に固体粒子がある場合は、採取時点では液体で、採取後発生した固体粒子であることがわかるため、タンク中の液体の性状を高精度に知ることができる。さらに、フィルタ部が２以上設けられていることにより、サンプリング量を全体として多くでき、一度のサンプリングで必要とされる量を確保することができる。
第２発明によれば、フィルタユニットの一部または全部が多角柱形状部であることにより、サンプリングを行うタンクの中の流れに与える影響が抑制される。また多角柱形状部の複数の面にフィルタ部が設置されるので、タンクの中の流れに与える影響を抑制しながら、一度のサンプリングで確保できる量を増やすことができる。
第３発明によれば、四角柱形状のフィルタユニットの第１側面に２つのフィルタ部が設けられるとともに、反対側に位置する第２側面には２つのフィルタ部が設けられていることにより、タンクの中の流れに与える影響を抑制しながら、一度のサンプリングで確保できる量を増やすことができる。また、第１側面および第２側面以外の面から液体を採取する場合、液体の通過する経路の距離を全て同程度とすることができるので、いずれかのフィルタ部に偏って液体が供給されることが少なくなり、一部のフィルタ部がつまりで使えなくなることを抑制できる。
第４発明によれば、多角柱形状部の第３側面に設けられた１つの導入口から採取された液体が、各フィルタ部の全てに供給されていることにより、複数のフィルタ部が用いられた場合でも、高精度に位置が確定された特定の１地点からのサンプリングが可能になる。この構成により、高精度に位置が決定された特定の１地点において、量を増やしながらサンプリングできる。
【図面の簡単な説明】
【００１０】
【図１】本発明の第１実施形態に係るサンプリング装置の吸引口近傍の正面方向からの断面図である。
【図２】本発明の第１実施形態に係るサンプリング装置の正面方向からの使用説明図である。
【図３】本発明の第１実施形態に係るサンプリング装置の斜視方向からの使用説明図である。
【図４】本発明の第１実施形態に係るサンプリング装置を構成する吸引システムの概略図である。
【図５】本発明の第２実施形態に係るサンプリング装置のフィルタユニットの斜視図である。
【図６】本発明の第２実施形態に係るサンプリング装置のフィルタユニットの正面方向からの断面図である。
【図７】本発明の第２実施形態に係るサンプリング装置のフィルタユニットの回路図である。
【図８】本発明の第２実施形態に係るサンプリング装置の正面方向からの使用説明図である。
【発明を実施するための形態】
【００１１】
つぎに、本発明の実施形態を図面に基づき説明する。ただし、以下に示す実施の形態は、本発明の技術思想を具体化するためのサンプリング装置を例示するものであって、本発明はサンプリング装置を以下のものに特定しない。なお、各図面が示す部材の大きさや位置関係等は、説明を明確にするため誇張していることがある。
【００１２】
（第１実施形態）
図２には、本発明の第１実施形態に係るサンプリング装置１０の正面方向からの使用説明図を示す。図２は、サンプリング装置１０が使用されているタンク３０を正面方向から見た図であり、タンク３０は断面図として表されている。また、図１には、本実施形態に係るサンプリング装置１０の吸引口１２近傍の正面断面図を示す。なお、本明細書では、サンプリング装置１０で吸引時に液体が流れる方向を基準として上流側下流側と記載する。また、図１、図２では、紙面における上下が、実際のサンプリング装置１０などの上下と一致する。
【００１３】
本実施形態に係るサンプリング装置１０は、タンク３０内の液体を採取するための吸引口１２を有する吸引システム１１と、吸引口１２を覆うフィルタ部２０と、吸引システム１１の一部または全部を内部に備え、フィルタ部２０を保持している支持体２６と、が備えられている。
【００１４】
図２に示すように、タンク３０は、ステンレス製の有底円筒体であり、上部のふたが取り外すことができる構成である。タンク３０の中では、例えば炭酸カルシウムまたは水酸化ニッケルなどの、化学変化を伴う晶析が行われる。化学変化を伴う晶析の場合、タンク３０内には、所定の第１液体が貯えられており、この第１液体が、回転軸３３の先端に設けられている回転翼３２により撹拌される。タンク３０の内側側面には、複数の邪魔板３４が設けられており、この邪魔板３４により、液体に上下の流れが形成されている。またタンク３０には、タンク３０内に既に貯えられている第１液体と化学反応して晶析を行う第２液体の、液体供給パイプ３１が設けられている。この液体供給パイプ３１から第２液体が供給されることで、第１液体と第２液体とが化学反応を起こし、晶析することにより所定の固体粒子が析出する。
【００１５】
図２に示すように、サンプリング装置１０を構成する支持体２６は、タンク３０のふたに固定されている。この支持体２６を構成する本管２７ａは、内部に空間がある円筒の筒状体であり、その長さは、サンプリング装置１０の先端がタンク３０の底付近まで到達することができる長さである。タンク３０のふたには、サンプリング装置１０の先端の高さの調整機構が備えられている。
【００１６】
図１には、本実施形態に係るサンプリング装置１０の吸引口１２近傍の正面断面図を示す。本実施形態に係るサンプリング装置１０は、二つのサンプリング部１０Ａ、１０Ｂを備えている。本実施形態では吸引口１２が２つあり、これらの吸引口１２がそれぞれのサンプリング部１０Ａ、１０Ｂに設けられており、それぞれの吸引口１２をフィルタ部２０が覆っている。タンク３０のふたに固定されている支持体２６は、ステンレス製の長尺の円筒体である本管２７ａと、この本管２７ａの下端に設けられている分配箱２７ｂと、分配箱２７ｂの下に設けられている分岐管２７ｃとを含んで構成されている。また支持体２６は、各分岐管２７ｃの下端に溶接されている先端部２８を含んでいる。
【００１７】
先端部２８は円筒体であり、その両端面間の長さが、円筒体の直径よりも短い扁平な形状である。その外周には、キャップ状のフィルタ押え２２と螺合するための雄ねじが形成されている。先端部２８の内周側の直径は、後述するフィルタ部２０の外径よりも小さくなっており、先端部２８がフィルタ部２０の上側を押えている。この先端部２８とフィルタ押え２２とで挟み込むことによりフィルタ部２０が支持体２６に保持されている。
【００１８】
なお、支持体２６を構成する本管２７ａの形状について、円筒体である旨を説明したが、これに限定されるものではなく、例えば断面が三角形であったり、楕円形であったりする場合もある。また、本管２７ａの形状は、筒状体でない場合もある。例えば本管２７ａの形状が等辺山形鋼のようなアングルである場合もある。
【００１９】
先端部２８と螺合するフィルタ押え２２は、有底円筒形状をしており、円筒形状部分の内周面側には、先端部２８と螺合する雌ねじが形成されている。また、有底円筒形状の底部は、フィルタ部２０を押えることができる形状である。なお、図示していないが、底部とフィルタ部２０との間には、パッキンが設けられており、フィルタ押え２２の底部からタンク３０内の液体が、支持体２６内部に侵入するのを防止している。
【００２０】
吸引システム１１を構成するチューブ１５は、分配箱２７ｂの中で２つの分岐チューブ１５ａに接続している。分岐チューブ１５ａは、分岐管２７ｃ内に吸引口１２をそれぞれ有し、これらの吸引口１２からタンク３０内の液体を採取する。チューブ１５および分岐チューブ１５ａの材質は、サンプリングする液体の種類に応じて選定される。材質としては、金属製、または樹脂製が考えられるが、チューブ１５および分岐チューブ１５ａの材質は、筒状の支持体２６の上方から飛び出した部分での取り扱いの容易さを考慮すると樹脂製が望ましく、具体的にはポリウレタンが好適に用いられる。
【００２１】
フィルタ部２０は、吸引システム１１を構成する分岐チューブ１５ａの吸引口１２に取り付けられ、吸引口１２を覆っている。このため吸引システム１１内に固体粒子が取り除かれた液体が取り込まれる。フィルタ部２０は、使い捨てタイプのフィルタユニットであり、円板形状部の中心に、軸形状部が、円板形状の円板面に対して垂直に設けられた形状をしており、円板形状部に、円板状のメンブレンフィルタ２１が内蔵されている。
【００２２】
フィルタ部２０の材質は、サンプリングする液体の種類に応じて選定されるが、ポリプロピレンなどを好適に用いることができる。またメンブレンフィルタ２１の材質も、同じくサンプリングする液体の材質に応じて選定されるが、ＰＴＦＥなどを好適に用いることができる。メンブレンフィルタ２１の孔径は、析出する固体粒子の径によって選定されるが、例えば直径１μｍ前後のものを好適に用いることができる。
【００２３】
なおフィルタ部２０の形状等については、上記の形状に限定されるものではなく、メンブレンフィルタ２１を固定できる形状であれば問題ない。また場合によってはデプスタイプのフィルタも用いることができる。
【００２４】
吸引システム１１の吸引口１２を覆うフィルタ部２０があることにより、特許文献１に記載のサンプリング方法では、すでに析出した固体粒子を含んでサンプリングを行わざるを得なかったところ、本発明に係るサンプリング装置１０では、使用者３５が、この固体粒子の含まない液体、すなわちろ過された液体を取得できる。さらに、フィルタ部２０が支持体２６に保持されているので、支持体２６がない場合と比較して、タンク３０内での液体の取得する位置が精度よく特定できる。
【００２５】
例えば液体が、晶析工程での液体である場合、液体取得後一定の時間が経過した後、採取した液体中に固体粒子がある場合は、採取時点では液体で、採取後発生した固体粒子であることがわかるため、液体および発生した固体粒子に含まれる第１液体と第２液体の量を分析することで、タンク３０中の液体の性状を高精度に知ることができる。
【００２６】
さらに、本実施形態ではフィルタ部２０が２個設けられていることにより、サンプリング量を多く確保することができる。
【００２７】
図３には、本発明の実施形態に係るサンプリング装置１０の斜視方向からの使用説明図を示す。また、図４には本発明の第１実施形態に係るサンプリング装置１０を構成する吸引システム１１の概略構成を示す。
【００２８】
タンク３０のふたには、サンプリング装置１０を構成する支持体２６の、タンク３０内での高さの調整手段が設けられるとともに、吸引システム１１を構成するチューブ１５と、このチューブ１５の端部に設けられている手動吸引部と、が設けられている。このチューブ１５は、図１に記載のものであり、フィルタ部２０とその端部で結合している。
【００２９】
手動吸引部は、図４で示すように、注射器１４と、２つの逆止弁１３−１、１３−２と、が分岐を含んだ回路で構成されている。なお逆止弁１３−１、１３−２と、注射器１４との接続は、弁の接続方向の順逆方向に互いに異なっている。この注射器１４ではピストンが実線で記載された状態から、破線で記載された状態に引かれるときには、第１逆止弁１３−１が閉じられ、第２逆止弁１３−２が開き、吸引口１２から、ろ過された液体が第２逆止弁１３−２を通して流れる。次に注射器１４のピストンが破線で記載された状態から実線で記載された状態に押されるときは、第２逆止弁１３−２が閉じられ、第１逆止弁１３−１が開き、注射器１４の内部の空気が第１逆止弁１３−２を通して排出される。このように手動吸引部を操作することで、サンプリング装置１０の使用者３５は、チューブ５および分岐チューブ１５ａの内側の圧力を連続的に下げ、吸引口１２からフィルタ部２０によりろ過された、タンク３０内の液体のみを採取できる。
【００３０】
また、本発明のサンプリング装置１０の他の使用方法としては、サンプリングした液体の状態と晶析した固体粒子の性状（粒径や粒子の表面状態等）を調べ、所望の性状を有する固体粒子を得るための晶析条件（撹拌翼の回転数または第２液体の供給量）に調整することに使用することができる。
【００３１】
サンプリング装置１０の使用者３５は、たとえば以下の要領でサンプリング装置１０を使用できる。すなわち、図１にある状態にサンプリング装置１０を組立て、第１液体が貯えられたタンク３０内に漬ける。この後第１液体が回転翼３２によりかき混ぜられ、所定の流れが形作られ、第２液体が液体供給パイプ３１から供給されて、晶析が行われる。所定の時間の経過後、使用者３５は注射器１４を操作して、吸引手段１１の吸引口１２から、ろ過された液体を採取し、ろ過された液体を貯留する。この作業がタンク３０内の複数の点で実施される。ろ過された液体中の第２液体の濃度を測定することで、コンピュータ解析で導かれた結果と照合し、コンピュータ解析の精度を向上させることも可能である。
【００３２】
（第２実施形態）
図５には、本発明の第２実施形態に係るサンプリング装置１０のフィルタユニット４０の斜視説明図を、図６には、このフィルタユニット４０の正面方向からの断面図を示す。本実施形態のサンプリング装置１０には、支持体２６の一部を構成するフィルタユニット４０が設けられている。このフィルタユニット４０は、ろ過性能が同じである複数のフィルタ部２０を保持している。また図６の紙面上の上下は、実際の上下と一致する。
【００３３】
フィルタユニット４０は、上下方向の長さが長い四角柱形状をしている。すなわち、フィルタユニット４０の全部が、四角柱形状部である。この四角柱形状部は、多角柱形状部の一つである。フィルタユニット４０の側面の一つであるユニット正面４０ａには、フィルタサポータ４１および正面ふた４２が取り付けられる。特許請求の範囲に記載の第３側面が、本実施形態のユニット正面４０ａに該当する。フィルタサポータ４１には、３つの前置フィルタ部２０ａが並列に保持されている。この前置フィルタ部２０ａは、メンブレンフィルタ２１ａと、このメンブレンフィルタ２１ａの形状を保持するサポートスクリーン２１ｂと、リング状押さえ４４と、を含んで構成されている。
【００３４】
フィルタサポータ４１は、正面ふた４２によりユニット正面４０ａに固定される。正面ふた４２の、フィルタサポータ４１に向かった面には、３つの前置フィルタ部２０ａに、吸い込んだ液体を送り込むための、図示しない溝が設けられている。また正面ふた４２には、液体を吸い込むための導入口４２ａが１箇所設けられている。加えてユニット正面４０ａには、第１連通溝４０ｅが設けられている。この第１連通溝４０ｅにより、３つの前置フィルタ部２０ａを通過したろ液が互いに連通することができる。
【００３５】
上記のような構成が、ユニット正面４０ａに設けられていることにより、導入口４２ａから導入された液体が、正面ふた４２に設けられている溝により３つの前置フィルタ部２０ａを通過し、通過した後の液体が、ユニット正面４０ａに設けられている第１連通溝４０ｅにより互いに連通する。
【００３６】
フィルタユニット４０の側面の１つであるユニット右側面４０ｂは、ユニット正面４０ａに向かって右側の面である。特許請求の範囲に記載の第１側面が、本実施形態のユニット右側面４０ｂに該当する。このユニット右側面４０ｂには、２つの配置孔４０ｆが設けられている。これらの配置孔４０ｆには、それぞれフィルタ部２０が配置される。そしてそれぞれの配置孔４０ｆが側面ふた４３によってふさがれている。また側面ふた４３には、第２連通溝４３ａが設けられている（図６参照）。
【００３７】
フィルタユニット４０の側面の一つであるユニット左側面４０ｃは、ユニット正面４０ａに向かって左側の面である。特許請求の範囲に記載の第２側面が、本実施形態のユニット左側面４０ｃに該当する。すなわち第２側面であるユニット左側面４０ｃは、第１側面であるユニット右側面４０ｂとフィルタユニット４０の軸心を挟んで反対側に位置している。図６に示すように、ユニット左側面４０ｃにも同じように２つの配置孔４０ｆが設けられている。
【００３８】
フィルタユニット４０のユニット正面４０ａに設けられた第１連通溝４０ｅは、ユニット右側面４０ｂおよびユニット左側面４０ｃに設けられている配置孔４０ｆにそれぞれ連通している。配置孔４０ｆから、側面ふた４３に設けられている第２連通溝４３ａを介してフィルタ部２０へ連通している。このように連通していることで、導入口４２ａから導入された液体は、前置フィルタ部２０ａを通過した後、第１連通溝４０ｅを介していずれかの配置孔４０ｆに導かれ、さらに第２連通溝４３ａを介してフィルタ部２０へ導かれる。
【００３９】
図６に示すように、フィルタユニット４０には、上下の連通孔４５が設けられている。この連通孔４５に接続継手１５ｂが、ユニット上面４０ｄから突出するように取り付けられている。そして接続継手１５ｂはチューブ１５に接続されている。また、連通孔４５には、フィルタ部２０が配置される配置孔４０ｆの中心に設けられた孔が連通している。吸引口１２はタンク内の液体を採取する部分を言うため、本実施形態では吸引口１２は上下の連通孔４５に連通する配置孔４０ｆの中心に設けられた孔を意味する。
【００４０】
フィルタユニット４０に設けられた連通孔４５の下方には貯留部１６が設けられている。貯留部１６の水平断面は円形である。貯留部１６の内径は、連通孔４５の内径よりも大きい。連通孔４５の下方に貯留部１６が設けられていることから、フィルタユニット４０内の４つの吸引口１２はいずれも貯留部１６よりも上側に位置している。なおチューブ１５内が負圧になったとき、貯留部１６内も同じように圧力が下がるので、吸引システム１１には貯留部１６が含まれる。
【００４１】
フィルタユニット４０の一部または全部が多角柱形状部であることにより、サンプリングを行うタンク３０の中の流れに与える影響が抑制される。また多角柱形状部の複数の面にフィルタ部２０が設置されるので、タンク３０の中の流れに与える影響を抑制しながら、一度のサンプリングで確保できる量を増やすことができる。
【００４２】
四角柱形状のフィルタユニットの第１側面に２つのフィルタ部２０が設けられるとともに、反対側に位置する第２側面には２つのフィルタ部２０が設けられていることにより、タンク３０の中の流れに与える影響を抑制しながら、一度のサンプリングで確保できる量を増やすことができる。また、第１側面および第２側面以外の面から液体を採取する場合、液体の通過する経路の距離を全て同程度とすることができ、いずれかのフィルタ部２０に偏って液体が供給されることが少なくなり、一部のフィルタ部２０がつまりで使えなくなることを抑制できる。
【００４３】
多角柱形状部の第３側面に設けられた１つの導入口４２ａから採取された液体が、各フィルタ部２０の全てに供給されていることにより、複数のフィルタ部２０が用いられた場合でも、高精度に位置が確定された特定の１地点からのサンプリングが可能になる。この構成により、高精度に位置が決定された特定の１地点において、量を増やしながらサンプリングできる。
【００４４】
図７には、フィルタユニット４０の回路図を示す。図７の紙面上右に設けられているエアポンプ１７によりフィルタユニット４０内を負圧にでき、液体が左から右に向けて流れる。液体は、導入口４２ａから吸い込まれた後、３つある前置フィルタ部２０ａのいずれかを通過し、第１連通溝４０ｅで互いに連通できる状態となる。そして、連通できる状態となった後、第２連通溝４３ａを通過して４つあるフィルタ部２０を通過して液体が吸引口１２へ導かれる。なおフィルタユニット４０においても前置フィルタ部２０ａ内にあるメンブレンフィルタ２１ａでろ別される粒子は、フィルタ部２０内にあるメンブレンフィルタ２１でろ別される粒子よりも大きい。
【００４５】
図８には、第２実施形態に係るサンプリング装置１０の正面方向からの使用説明図を示す。図８は、サンプリング装置１０が使用されているタンク３０を正面方向から見た図であり、タンク３０は断面図として表されている。また図８の紙面における上下は、実際の上下と一致している。
【００４６】
第１実施形態に係るサンプリング装置１０との相違点は、吸引システム１１の構成と、フィルタ部２０を内蔵するフィルタユニット４０を保持している支持体２６の構成である。
【００４７】
本実施形態では、フィルタユニット４０内の連通孔４５を負圧にするために、吸引システム１１は真空ポンプ１７を含んでいる。真空ポンプ１７は、フィルタユニット４０の上部に接続されたチューブ１５と接続されており、サンプリング装置１０の使用者３５が真空ポンプ１７を運転することにより、吸引口１２から液体が採取される。
【００４８】
なお、第２実施形態では、フィルタユニット４０は四角柱形状をしていたが、これに限定されない。たとえば、フィルタユニット４０の形状としては、三角柱形状、または五角柱形状が含まれる。また、円柱形状の軸方向の一部を平面に加工し、軸方向の一部が多角柱形状をしている場合も含まれる。
【産業上の利用可能性】
【００４９】
本発明に係るサンプリング装置１０は、化学変化を伴う晶析など、固体粒子を含んだ液体であるスラリー内の液体の状態を高精度に知る必要のある、各種のプロセスで用いることができる。晶析では、上記で述べたように、水酸化ニッケル製造時の晶析工程、または酸化鉛含有廃棄物の回収における晶析工程、砂糖または硫安の製造における晶析工程などで、使用することができる。
【符号の説明】
【００５０】
１０  サンプリング装置
１１  吸引システム
１２  吸引口
２０  フィルタ部
２６  支持体
３０  タンク
４０  フィルタユニット
４０ａ  ユニット正面（第３側面）
４０ｂ  ユニット右側面（第１側面）
４０ｃ  ユニット左側面（第２側面）
４２ａ  導入口
【図１】
2019174370.tif 000003
【図２】
2019174370.tif 000004
【図３】
2019174370.tif 000005
【図４】
2019174370.tif 000006
【図５】
2019174370.tif 000007
【図６】
2019174370.tif 000008
【図７】
2019174370.tif 000009
【図８】
2019174370.tif 000010